(57)【要約】【課題】  調整用画像に画像欠けが発生していても、プリンタ（印刷装置）におけるシートの印刷位置調整を適切に行うことのできる印刷位置調整装置を提供する。【解決手段】  本発明の印刷位置調整装置は、シート上に形成された調整用画像から得られる調整値に基づいて印刷位置を調整する印刷位置調整装置において、上記調整用画像の基準領域端部位置と調整用画像端部位置を画像読取装置により読み取り上記調整用画像に欠けが発生しているか否かの判定を行う画像欠け判定部５００ａと、上記画像欠け判定部５００ａによる判定結果から調整用画像の端部のうち画像欠けが生じていない端部を特定し特定した端部の位置と上記基準端部位置とに基づいて上記調整値を算出するスキャナ調整部５００ｂおよびプリンタ調整部５００ｃとを備えている。【選択図】  図１
2006333411.tif 000002
【特許請求の範囲】
【請求項１】
シート上に形成された調整用画像から得られる調整値に基づいて印刷位置を調整する印刷位置調整装置において、
上記調整用画像の基準領域端部位置と調整用画像端部位置を画像読取装置により読み取り上記調整用画像に欠けが発生しているか否かの判定を行う画像欠け判定手段と、
上記画像欠け判定手段による判定結果から調整用画像の端部のうち画像欠けが生じていない端部を特定し特定した端部の位置と上記基準端部位置とに基づいて上記調整値を算出する調整値算出手段とを備えていることを特徴とする印刷位置調整装置。
【請求項２】
上記画像欠け判定手段は、
上記基準領域の一方の端部から上記調整用画像の一方の端部までの距離を第１距離、
上記基準領域の他方の端部から上記調整用画像の他方の端部までの距離を第２距離とし、第１距離と第２距離との和が所定値よりも小さい場合には調整用画像に画像欠けが発生していると判定することを特徴とする請求項１に記載の印刷位置調整装置。
【請求項３】
上記画像欠け判定手段は、
上記基準領域の一方の端部から上記調整用画像の一方の端部までの距離を第１距離、
上記基準領域の他方の端部から上記調整用画像の他方の端部までの距離を第２距離とし、第１距離と第２距離の何れかが所定値以上である場合には所定値以上の距離に相当する画像側を画像欠けが発生している側であると判定することを特徴とする請求項１または２に記載の印刷位置調整装置。
【請求項４】
原稿を読み取る原稿読取部と、該原稿読取部によって読み取った原稿画像をシートに印刷する印刷部と、印刷部におけるシートの印刷位置を調整する印刷位置調整部とを有する画像形成装置において、
上記印刷位置調整部として、請求項１〜３の何れか１項に記載の印刷位置調整装置を備えたことを特徴とする画像形成装置。
【請求項５】
原稿を読み取る原稿読取部と、該原稿読取部によって読み取った原稿画像をシートに印刷する印刷部とを有する画像形成装置において、
シート上に形成された調整用画像から得られる調整値に基づいて印刷位置を調整する印刷位置調整装手段を備え、
上記印刷位置調整手段は、
上記調整用画像の基準領域端部位置と調整用画像端部位置を上記原稿読取部により読み取り上記調整用画像に欠けが発生しているか否かの判定を行う画像欠け判定手段と、
上記画像欠け判定手段による判定結果から調整用画像の端部のうち画像欠けが生じていない端部を特定し特定した端部の位置と上記基準端部位置とに基づいて上記調整値を算出する調整値算出手段とを有することを特徴とする画像形成装置。
【請求項６】
上記原稿読取部によって読み取った原稿に含まれる原稿読取方向を特定するためのマーカ画像に基づいて調整用原稿の読取方向の適否を判定する読取方向判定手段と、
上記原稿の読取方向を使用者に報知するための報知手段とを備え、
上記印刷位置調整手段は、
上記画像欠け判定手段によって調整用画像に画像欠けが発生していると判定され且つ上記読取方向判定手段によって調整用原稿の読取方向が間違っていると判定されたとき上記報知手段に調整用原稿の読取方向を報知させることを特徴とする請求項５に記載の画像形成装置。
【請求項７】
シート上に形成された調整用画像から得られる調整値に基づいて印刷位置を調整する印刷位置調整方法において、
上記調整用画像の基準領域端部位置と調整用画像端部位置を画像読取装置により読み取り上記調整用画像に欠けが発生しているか否かの判定を行う第１のステップと、
上記第１のステップによる判定結果から調整用画像の端部のうち画像欠けが生じていない端部を特定し特定した端部の位置と上記基準端部位置とに基づいて上記調整値を算出する第２のステップとを含んでいることを特徴とする印刷位置調整方法。
【請求項８】
原稿を読み取る原稿読取部と、該原稿読取部によって読み取った原稿画像をシートに印刷する印刷部とを有する画像形成装置の印刷位置調整方法において、
シート上に形成された調整用画像から得られる調整値に基づいて印刷位置を調整する印刷位置調整ステップを含み、
上記印刷位置調整ステップは、さらに、
上記調整用画像の基準領域端部位置と調整用画像端部位置を画像読取装置により読み取り上記調整用画像に欠けが発生しているか否かの判定を行う画像欠け判定ステップと、
上記画像欠け判定ステップによる判定結果から調整用画像の端部のうち画像欠けが生じていない端部を特定し特定した端部の位置と上記基準端部位置とに基づいて上記調整値を算出する調整値算出ステップとを含むことを特徴とする画像形成装置の印刷位置調整方法。
【請求項９】
コンピュータを、請求項１〜３の何れか１項に記載の印刷位置調整装置の各手段として機能させるための印刷位置調整プログラム。
【請求項１０】
請求項９に記載の印刷位置調整プログラムを記録したコンピュータ読取可能な記録媒体。
【発明の詳細な説明】
【技術分野】
【０００１】
本発明は、複写機等の画像形成装置に備えられた印刷装置におけるシートに対する印刷位置を調整する印刷位置調整装置に関するものである。
【背景技術】
【０００２】
電子写真方式を用いる画像形成装置の例として、複写機、プリンタ、ファクシミリ等がある。これらの画像形成装置では、例えば周辺機器から入力される画像データに基づいて、シート上に画像形成を行う。
【０００３】
ここで、シート上に印刷された画像の位置が、入力された画像データにおける本来の画像の位置と位置ずれを生ずる場合がある。このような、シートに対する画像形成位置のずれは、シートを搬送する搬送手段によるシートの搬送位置と、画像データに基づいて像担持体（感光体ドラム）に書き込まれた画像の位置とのずれにより発生する。
【０００４】
位置ずれを補正するためには、例えばシートの搬送位置を所定の位置に調整し、さらに画像の形成位置を所定の位置に調整する。このようにして、シートの正しい位置に画像が形成されるように調整できる。また、像担持体に形成された画像、あるいはシート搬送手段によって搬送されるシートの位置のいずれかに、他方の位置が合うように調整してもよい。
【０００５】
例えば、特許文献１に記載の構成では、画像形成装置内に予め記憶されている基準画像データをシートに出力し、そのシートを画像読取装置にて読み取ることで、シートに対する画像の形成位置を調整している。
【０００６】
しかしながら、上述の特許文献１の構成においては、位置ずれを正確に読取るため、基準となる画像のテストチャート等を周辺機器の画像読取装置を用いて読取る際に、正しく調整の済んだ、読取りずれのない画像読取装置が必要になるという問題がある。
【０００７】
そこで、特許文献２には、画像読取装置が正確に調整されていなくても、シートに対する画像の形成位置を調整するための技術が開示されている。
【特許文献１】特開平７−１２５３１４号公報（公開日：１９９５年５月１６日）
【特許文献２】特開２００５−１０７３３号公報（公開日：２００５年１月１３日）
【発明の開示】
【発明が解決しようとする課題】
【０００８】
ところで、上述の特許文献２では、基準データが記録された基準原稿を原稿読取部で読み取って得られたデータ（テスト印字）に基づいて、その原稿読取部自体の調整と印字部の調整を行うようになっている。つまり、読み取ったテスト印字の画像における用紙端部を基準として原稿読取部の読取位置、読み取り倍率の調整を行い、そして、読み取ったテスト印字の画像における黒枠内側の位置に基づき印字部の印字位置、印字倍率の調整を行うことによって、シートの形成位置の調整を行っている。
【０００９】
しかしながら、特許文献２に開示された技術では、上述のように、印字部の調整をテスト印字を行った結果に基づいて行っているので、テスト印字に画像欠けが発生した場合、印字部の調整を適切に行えないという問題が生じる。
【００１０】
ここで、テスト印字に画像欠けが発生するとは、印刷装置におけるシートの印刷可能領域内に設定された基準領域の基準端部位置と、該基準端部位置と同一方向の、調整用画像データ（基準原稿）を取り込んで得られた画像領域の端部位置とのずれが規定値以上である状態をいう。
【００１１】
本発明は、上記の問題点に鑑みてなされたものであり、その目的は、調整用画像に画像欠けが発生していても、印刷装置におけるシートの印刷位置調整を適切に行うことのできる印刷位置調整装置を提供することにある。
【課題を解決するための手段】
【００１２】
本発明に係る印刷位置調整装置は、上記課題を解決するために、シート上に形成された調整用画像から得られる調整値に基づいて印刷位置を調整する印刷位置調整装置において、上記調整用画像の基準領域端部位置と調整用画像端部位置を画像読取装置により読み取り上記調整用画像に欠けが発生しているか否かの判定を行う画像欠け判定手段と、上記画像欠け判定手段による判定結果から調整用画像の端部のうち画像欠けが生じていない端部を特定し特定した端部の位置と上記基準端部位置とに基づいて上記調整値を算出する調整値算出手段とを備えていることを特徴としている。
【００１３】
また、本発明の印刷位置調整方法は、シート上に形成された調整用画像から得られる調整値に基づいて印刷位置を調整する印刷位置調整方法において、上記調整用画像の基準領域端部位置と調整用画像端部位置を画像読取装置により読み取り上記調整用画像に欠けが発生しているか否かの判定を行う第１のステップと、上記第１のステップによる判定結果から調整用画像の端部のうち画像欠けが生じていない端部を特定し特定した端部の位置と上記基準端部位置とに基づいて上記調整値を算出する第２のステップとを含んでいることを特徴としている。
【００１４】
上記の構成によれば、調整用画像に画像欠けが発生しているか否かに関わらず、調整用画像の画像欠けが発生していない端部の位置と、基準端部の位置とに基づいて、印刷装置のシートに対する印刷位置調整を行うための調整値を求めるようになっているので、調整用画像に画像欠けが発生していても適切に印刷装置のシートに対する印刷位置調整を行うことができる。
【００１５】
例えば、上記画像欠け判定手段は、上記基準領域の一方の端部から上記調整用画像の一方の端部までの距離を第１距離、上記基準領域の他方の端部から上記調整用画像の他方の端部までの距離を第２距離とし、第１距離と第２距離との和が所定値よりも小さい場合には調整用画像に画像欠けが発生していると判定するようにしてもよい。
【００１６】
また、上記画像欠け判定手段は、上記基準領域の一方の端部から上記調整用画像の一方の端部までの距離を第１距離、上記基準領域の他方の端部から上記調整用画像の他方の端部までの距離を第２距離とし、第１距離と第２距離の何れかが所定値以上である場合には所定値以上の距離に相当する画像側を画像欠けが発生している側であると判定してもよい。
【００１７】
また、原稿を読み取る原稿読取部と、該原稿読取部によって読み取った原稿画像をシートに印刷する印刷部と、印刷部におけるシートの印刷位置を調整する印刷位置調整部とを有する画像形成装置において、上記印刷位置調整部として、上述の構成の印刷位置調整装置を備えてもよい。
【００１８】
本発明の画像形成装置は、原稿を読み取る原稿読取部と、該原稿読取部によって読み取った原稿画像をシートに印刷する印刷部とを有する画像形成装置において、シート上に形成された調整用画像から得られる調整値に基づいて印刷位置を調整する印刷位置調整装手段を備え、上記印刷位置調整手段は、上記調整用画像の基準領域端部位置と調整用画像端部位置を上記原稿読取部により読み取り上記調整用画像に欠けが発生しているか否かの判定を行う画像欠け判定手段と、上記画像欠け判定手段による判定結果から調整用画像の端部のうち画像欠けが生じていない端部を特定し特定した端部の位置と上記基準端部位置とに基づいて上記調整値を算出する調整値算出手段とを有することを特徴としている。
【００１９】
本発明の画像形成装置の印刷位置調整方法は、原稿を読み取る原稿読取部と、該原稿読取部によって読み取った原稿画像をシートに印刷する印刷部とを有する画像形成装置の印刷位置調整方法において、シート上に形成された調整用画像から得られる調整値に基づいて印刷位置を調整する印刷位置調整ステップを含み、上記印刷位置調整ステップは、さらに、上記調整用画像の基準領域端部位置と調整用画像端部位置を画像読取装置により読み取り上記調整用画像に欠けが発生しているか否かの判定を行う画像欠け判定ステップと、上記画像欠け判定ステップによる判定結果から調整用画像の端部のうち画像欠けが生じていない端部を特定し特定した端部の位置と上記基準端部位置とに基づいて上記調整値を算出する調整値算出ステップとを含むことを特徴としている。
【００２０】
上記の構成によれば、印刷部におけるシートに対する印刷位置の調整に使用する調整用画像として、原稿読取部によって調整用原稿を読み取った画像を使用することができるので、原稿読取部における原稿の読取位置の調整を事前に行うことで、シートに対する印刷位置の調整を精度よく読み取った調整用画像で行うことが可能となり、印刷位置の調整精度を高めることができる。
【００２１】
また、上記原稿読取部によって読み取った原稿に含まれる原稿読取方向を特定するためのマーカ画像に基づいて、調整用原稿の読取方向の適否を判定する読取方向判定手段と、上記原稿の読取方向を使用者に報知するための報知手段とを備え、上記印刷位置調整手段は、上記画像欠け判定手段によって、調整用画像に画像欠けが発生していると判定され且つ上記読取方向判定手段によって、調整用原稿の読取方向が間違いっていると判定されたとき上記報知手段に、調整用原稿の読取方向を報知させるようにしてもよい。
【００２２】
この場合、調整用原稿の読取方向の間違いによって、調整用画像に画像欠けが発生している場合を特定することができるので、調整用原稿の読取方向を変更することにより、調整用画像に画像欠けが発生しているか否かを適切に判定することができる。
【００２３】
本発明の印刷位置調整プログラムは、上記の印刷位置調整装置の各手段として、コンピュータを機能させるための印刷位置調整プログラムである。
【００２４】
また、上記印刷位置調整プログラムをコンピュータ読取可能な記録媒体に記録してもよい。
【００２５】
これにより、汎用なコンピュータにより、印刷装置におけるシートに対する印刷位置を簡単に調整制御することができる。
【発明の効果】
【００２６】
本発明に係る印刷位置調整装置は、以上のように、上記調整用画像の基準領域端部位置と調整用画像端部位置を画像読取装置により読み取り上記調整用画像に欠けが発生しているか否かの判定を行う画像欠け判定手段と、上記画像欠け判定手段による判定結果から調整用画像の端部のうち画像欠けが生じていない端部を特定し特定した端部の位置と上記基準端部位置とに基づいて上記調整値を算出する調整値算出手段とを備えていることで、調整用画像に画像欠けが発生していても適切に印刷装置のシートに対する印刷位置調整を行うことができるという効果を奏する。
【発明を実施するための最良の形態】
【００２７】
本発明の一実施の形態について説明すれば以下の通りである。
【００２８】
本実施形態に係る画像形成装置は、一つの筐体内に画像読取装置と画像形成装置とを備えた複合機である。複合機１は、図２の内部構成図に示すように、概略的に、自動原稿搬送装置２１０、スキャナ（画像読取装置）２００、プリンタ（印刷装置）１００、および給紙デスク装置２０を備えている。
【００２９】
本実施形態においては、複合機１の上部にスキャナ２００が配置され、スキャナ２００の上面に透明ガラスからなる原稿台２０９が設けられている。原稿台２０９の上に、自動原稿搬送装置２１０が備えられている。また、スキャナ２００の下部にプリンタ１００が配置され、さらにプリンタ１００の下に給紙デスク装置２０が備えられている。
【００３０】
自動原稿搬送装置２１０は、原稿セットトレイ２１１上にセットされた複数枚のシート（原稿）を１枚ずつ自動的に原稿台２０９上へ搬送する装置である。
【００３１】
スキャナ２００は、原稿台２０９上に載置されたシートの画像を走査して読み取る装置である。本実施形態のスキャナ２００は、カラー読取手段である。スキャナ２００は、原稿台２０９の下方に、第１の走査ユニット２０１・第２の走査ユニット２０２、光学レンズ２０３、および光電変換素子であるＣＣＤラインセンサ２０４を有している。
【００３２】
第１の走査ユニット２０１は、シート面上を露光する露光ランプ２０５と、シートからの反射光像を所定の方向に反射させる第１ミラー２０６等から構成されている。第２の走査ユニット２０２は、第１の走査ユニット２０１の第１ミラー２０６から反射されてくるシートからの反射光を光電変換素子であるＣＣＤラインセンサ２０４に導く第２ミラー２０７および第３ミラー２０８より構成されている。光学レンズ２０３は、原稿からの反射光をＣＣＤラインセンサ２０４上に結像させる。ＣＣＤラインセンサ２０４は、Ｒ（赤）、Ｇ（緑）、Ｂ（青）の３ラインのイメージセンサを用いており、３色に分解して画像を読み取れるようになっている。
【００３３】
次に、プリンタ１００の構成、およびプリンタ１００に関連する各部の構成について説明する。
【００３４】
プリンタ１００は、プリンタ１００の外部から伝達された画像データに応じて、所定のシート（記録用紙）に対して多色および単色の画像を形成するものである。
【００３５】
プリンタ１００は、カラー画像を扱うための４つの画像形成ステーションを有している。このプリンタ１００において扱われる画像データは、ブラック（Ｋ）、シアン（Ｃ）、マゼンタ（Ｍ）、イエロー（Ｙ）の各色を用いたカラー画像に応じたものである。
【００３６】
このため、プリンタ１００は、図２に示すように、露光ユニット１０（１０ａ、１０ｂ、１０ｃ、１０ｄ）、現像器２（２ａ、２ｂ、２ｃ、２ｄ）、感光体ドラム（像担持体）３（３ａ、３ｂ、３ｃ、３ｄ）、クリーナユニット４（４ａ、４ｂ、４ｃ、４ｄ）、帯電器５（５ａ、５ｂ、５ｃ、５ｄ）を、各色に応じた４種類の潜像を形成するように、それぞれの画像形成ステーションごとに備えている。各画像形成ステーションは、それぞれ、ａがブラック（Ｋ）に対応し、ｂがシアン（Ｃ）に対応し、ｃがマゼンタ（Ｍ）に対応し、ｄがイエロー（Ｙ）に対応するように設定されている。各画像形成ステーションを区別する必要がない場合には、以下では簡単のため、露光ユニット１０、現像器２、感光体ドラム３、クリーナユニット４、帯電器５のように呼ぶ。
【００３７】
また、プリンタ１００は、図２に示すように、さらに転写搬送ベルトユニット８、定着ユニット１２、用紙搬送路Ｓ、給紙トレイ１９、排紙トレイ１５・３３、画像処理基板３００、制御回路基板４００等を備えている。
【００３８】
以下でプリンタ１００の各部について説明する。
【００３９】
感光体ドラム３は、プリンタ１００のほぼ中心部に配置（装着）されている。
【００４０】
帯電器５は、感光体ドラム３の表面を所定の電位に均一に帯電させるための帯電手段であり、図２に示すチャージャー型の帯電器のほかに、接触型の帯電ローラ型やブラシ型の帯電器が用いられる。
【００４１】
露光ユニット１０は、発光素子をアレイ状に並べた例えばＥＬやＬＥＤ書込みヘッドや、レーザ照射部および反射ミラーを備えたレーザスキャニングユニット（ＬＳＵ）である。この露光ユニット１０は、帯電された感光体ドラム３を入力される画像に応じて露光することにより、その表面に、画像データに応じて静電潜像を形成する機能を有するものである。
【００４２】
現像器２は、それぞれの感光体ドラム３上に形成された静電潜像を、（Ｋ、Ｃ、Ｍ、Ｙ）のトナーにより顕像化するものである。クリーナユニット４は、現像・画像転写後における感光体ドラム３上の表面に残留したトナーを除去・回収するものである。
【００４３】
感光体ドラム３の下方に配置されている転写搬送ベルトユニット８は、転写ベルト７、転写ベルト駆動ローラ７１、転写ベルトテンションローラ７２、転写ベルト従動ローラ７３、転写ベルト支持ローラ７４、転写ローラ６（６ａ、６ｂ、６ｃ、６ｄ）、および転写ベルトクリーニングユニット９を備えている。
【００４４】
転写ベルト駆動ローラ７１、転写ベルトテンションローラ７２、転写ローラ６、転写ベルト従動ローラ７３、転写ベルト支持ローラ７４等は、転写ベルト７を張架し、転写ベルト７を矢印Ｂ方向に回転駆動させるものである。
【００４５】
転写ローラ６は、転写ベルトユニットの内側のフレーム（図示せず）に回転可能に支持されており、感光体ドラム３のトナー像を、転写ベルト７上に吸着されて搬送されるシートに転写するものである。
【００４６】
転写ベルト７は、それぞれの感光体ドラム３に接触するように設けられている。そして、感光体ドラム３に形成された各色のトナー像をシートに順次重ねて転写することによって、カラーのトナー像（多色トナー像）を形成する機能を有している。この転写ベルト７は、厚さ１００μｍ程度のフィルムを用いて無端状に形成されている。
【００４７】
感光体ドラム３からシートへのトナー像の転写は、転写ベルト７の裏側に接触している転写ローラ６によって行われる。転写ローラ６には、トナー像を転写するために高電圧（トナーの帯電極性（−）とは逆極性（＋）の高電圧）が印加されている。転写ローラ６は、直径８〜１０ｍｍ程度の金属（例えばステンレス）軸をベースとし、その表面は、導電性の弾性材（例えば、ＥＰＤＭ、発泡ウレタン等）により覆われているローラである。この導電性の弾性材により、シートに対して均一に高電圧を印加することができる。なお、本実施形態では転写電極として転写ローラ６を使用しているが、これに限らず、例えばブラシ等を用いることもできる。
【００４８】
このように、転写搬送ベルトユニット８の各部材が、感光体ドラム３からシートへトナー像を転写させる転写手段として機能する。転写手段の構成は、転写搬送ベルトユニット８に限るものではない。
【００４９】
また、感光体ドラム３との接触により転写ベルト７に付着したトナーは、シートの裏面を汚す原因となるために、転写ベルトクリーニングユニット９によって除去・回収されるように設定されている。転写ベルトクリーニングユニット９には、転写ベルト７に接触する例えばクリーニングブレードが備えられており、クリーニングブレードが接触する転写ベルト７は、裏面から転写ベルト支持ローラ７４で支持されている。
【００５０】
給紙トレイ１９は、画像形成に使用するシートを蓄積しておくためのトレイであり、プリンタ１００の下側に設けられている。また、プリンタ１００の上部に設けられている排紙トレイ１５は、印刷済みのシートをフェイスダウンで載置するためのトレイである。また、プリンタ１００の側部に設けられている排紙トレイ３３は、画像形成済みのシートをフェイスアップで載置するためのトレイである。
【００５１】
また、プリンタ１００には、シートを給紙トレイ１９からシート転写搬送ユニット８や定着ユニット１２を経由させて排紙トレイ１５に送るための、Ｓの字形状の用紙搬送路Ｓが設けられている。さらに、給紙トレイ１９から排紙トレイ１５および排紙トレイ３３までの用紙搬送路Ｓの近傍には、ピックアップローラ１６、レジストローラ１４、定着ユニット１２、搬送方向切り替えゲート３４、シートを搬送する搬送ローラ２５等が配されている。
【００５２】
搬送ローラ２５は、シートの搬送を促進・補助するための小型のローラであり、用紙搬送路Ｓに沿って複数設けられている。ピックアップローラ１６は、給紙トレイ１９の端部に備えられ、給紙トレイ１９から、シートを１枚毎に用紙搬送路Ｓに供給する呼び込みローラである。
【００５３】
搬送方向切換えゲート３４は、側面カバー３５に回転可能に設けられており、実線で示す状態から破線で示す状態にすることにより搬送路Ｓの途中からシートを分離し、排紙トレイ３３にシートを排出できるようになっている。実線で示す状態の場合には、シートは定着ユニット１２と側面カバー３５、搬送切換えガイド（ゲート）３４の間に形成される搬送部Ｓ’（用紙搬送路Ｓの一部）を通り上部の排紙トレイ１５に排出される。
【００５４】
また、レジストローラ１４は、用紙搬送路Ｓを搬送されているシートを一旦保持するものである。そして、感光体ドラム３上のトナー像をシートに良好に多重転写できるように、感光体ドラム３の回転にあわせて、シートをタイミングよく搬送する機能を有している。
【００５５】
定着ユニット１２は、ヒートローラ３１、加圧ローラ３２等を備えており、ヒートローラ３１および加圧ローラ３２は、シートを挟んで回転するようになっている。
【００５６】
また、ヒートローラ３１は、（図示しない）温度検出器からの温度検出値に基づいて制御手段によって所定の定着温度となるように設定されており、加圧ローラ３２とともにシートを熱圧着することにより、シートに転写された多色トナー像を溶融・混合・圧接し、シートに対して熱定着させる機能を有している。
【００５７】
なお、シートの排出先が排紙トレイ１５に指定されている場合には、多色トナー像の定着後のシートは、搬送ローラ２５…によって用紙搬送路Ｓの反転排紙経路に搬送され、反転された状態で（多色トナー像を下側に向けて）、排紙トレイ１５上に排出されるようになっている。画像処理基板３００は、画像データに対して所定の処理を施す回路基板であり、制御回路基板４００は画像形成プロセスを制御する回路基板であり、後述の制御手段に収容されている。
【００５８】
次に、給紙デスク装置２０について説明する。給紙デスク装置２０は、プリンタ１００の給紙トレイ１９の下方に備えられている。給紙デスク装置２０は、３段の給紙トレイ２０ａ〜２０ｃを備えており、用紙搬送路Ｓを経由して、プリンタ１００に用紙を供給できるようになっている。なお、本実施形態の複合機１は、給紙デスク装置２０の構成に限らず、１段の給紙トレイを備えたものや、並行に２個のトレイを備えたタンデムトレイを備えたもの、あるいは単にデスクとして機能するもの等、ユーザの要望に応じて装着できるようになっている。
【００５９】
なお、本実施形態では、プリンタ１００を多色の画像を形成する多色画像形成装置として説明するが、モノクロ（白黒）画像形成を行う画像形成装置でも本発明の一部を除く機能を実施可能であるものとする。また、複合機１として、自動原稿搬送装置２１０を備えたものについて説明しているが、これに限るものではなく、自動原稿搬送装置は装着されていなくてもよい。
【００６０】
複合機１は、該複合機１の動作を制御するための制御手段を備えている。制御手段は、図３に示すように、例えば、複合機１のプリンタ１００の調整、スキャナ２００の調整制御を行う中央演算部５００を有している。
【００６１】
中央演算部５００には、スキャナ２００で読み取った原稿画像の画像データを処理するための画像処理部５０１、スキャナ２００における原稿読取位置のずれを調整する等の制御を行うためのスキャナコントロール部５０２、プリンタ１００におけるシートへの印刷位置の調整等を制御するためのプリンタコントロール部５０３、スキャナ２００において原稿の載置方向が間違いっている場合にその旨を報知する報知部５０４が接続され、各部を制御するようになっている。
【００６２】
画像処理部５０１は、スキャナ２００で読み取った原稿画像の画像データから、中央演算部５００において、スキャナ２００の読取位置調整、プリンタ１００の印刷位置調整で使用するための調整値を求めるのに必要な情報を算出する処理を行っている。
【００６３】
上記中央演算部５００は、プリンタ１００のシートに対する印刷位置を調整する印刷位置調整装置として機能する。つまり、中央演算部５００では、上述した画像処理部５０１からの情報に基づいて、シートに対する印刷位置を調整するための調整値を生成し、この調整値をスキャナコントロール部５０２、プリンタコントロール部５０３に伝送するようになっている。
【００６４】
すなわち、中央演算部５００は、調整用画像から得られる調整値に基づいて印刷装置のシートに対する印刷位置を調整する印刷位置調整装置であって、図１に示すように、上記シートに印刷される調整用画像に、画像欠けが発生しているか否かを判定する画像欠け判定部（画像欠け判定手段）５００ａと、上記画像欠け判定部５００ａによって、画像欠けが発生していると判定されたとき、該調整用画像の画像欠けが発生していない側の領域の画像情報に基づいて、上記調整値を算出する調整値算出手段としてのスキャナ調整部５００ｂおよびプリンタ調整部５００ｃとを備えている。
【００６５】
上記画像欠け判定部５００ａは、画像処理部５０１（図３）で処理された読取画像情報に基づいて、画像欠けを判定するようになっており、その判定結果は、スキャナ調整部５００ｂ、プリンタ調整部５００ｃ、および報知部５０４に伝送される。
【００６６】
上記スキャナ調整部５００ｂは、画像欠け判定部５００ａからの判定結果に基づいてシートの印刷位置の調整に必要な調整値を算出し、該調整値をスキャナコントロール部５０２に伝送する。
【００６７】
また、上記プリンタ調整部５００ｃは、画像欠け判定部５００ａからの判定結果に基づいてシートの印刷位置の調整に必要な調整値を算出し、該調整値をプリンタコントロール部５０３に伝送する。
【００６８】
なお、上記画像欠け判定部５００ａの判定動作、上記スキャナ調整部５００ｂおよび上記プリンタ調整部５００ｃの調整動作の詳細については後述する。
【００６９】
ここで、画像欠けについて図４を参照しながら以下に説明する。
【００７０】
図４において、Ａ（白色部）は基準領域、Ｂ（灰色部）はシート上の調整画像に対応した領域、Ｃ（斜線部）は感光体３ａ〜３ｄ（図２）上に形成された感光体上調整用画像を示しており、有効画像領域全幅にわたって形成される。有効画像領域とは、感光体３ａ〜３ｄの静電潜像が形成される領域を示す。上記調整用画像とは、任意の画像でよく、スキャナの読取位置調整やプリンタの印刷位置調整に使用する基準チャートであれば、スキャナ、プリンタの各調整も合わせて行うことが可能となる。
【００７１】
図４の（ａ）は、シート上の調整用画像に画像欠けの無い状態を示している。ここでは、調整画像に対応した領域Ｂが感光体上調整用画像Ｃのほぼ中央に形成されている理想の状態を示している。
【００７２】
図４の（ｂ）は、シート上の調整用画像に画像欠けの有る状態を示している。ここでは、シートの一端が有効画像領域からはみ出し、感光体上調整用画像ＣからＲ（リア）側にはみ出している状態を示している。
【００７３】
ここで、有効画像領域の長手方向の長さを３０３．４ｍｍとし、シートの長手方向の長さを２９７ｍｍとする。なお、画像欠けはシートの長手方向に発生するものとする。また、領域ＢのＲ側端部の位置を特定するＰ１、基準領域ＡのＲ側端部の位置を特定するＰ２、該基準領域ＡのＦ（フロント）側端部の位置を特定するＰ３、該領域ＢのＦ側端部の位置を特定するＰ４とし、これら各ポイント（Ｐ１〜Ｐ４）の位置情報を用いて、上述した中央演算部５００（印刷位置調整装置）が画像欠けの有無を判定するようになっている。
【００７４】
本発明の印刷位置調整装置における印刷位置調整処理について図６に示すフローチャートをメインに以下に説明する。
【００７５】
はじめに、調整用画像をスキャナ２００で読み取った状態を図５に示す。この図５では、図４に示した感光体上調整用画像Ｃを省略し、代わりに、原稿載置方向を確認するための方向マーカＭを追加している。この方向マーカＭは、シート上に形成されるものである。また、図５で示したＲ，Ｆ，Ｐ１〜Ｐ４については、図４で示したものと同じである。
【００７６】
まず、スキャナ２００によって調整用画像を取り込む（ステップＳ１）。ここで、取り込んだ調整用画像は、図５に示すような画像データとして取り込まれ、画像処理部５０１において、各ポイント（Ｐ１〜Ｐ４）の測定（位置情報の取得）が行われる。この測定の結果を、読取画像情報として中央演算部５００に伝送する。そして、中央演算部５００は、以下の処理を行う。
【００７７】
次に、ステップＳ１で得られた読取画像情報に基づいて紙サイズ判定を行う（ステップＳ２）。ここでは、方向マーカＭによって、原稿の印刷方向であるＦＲ方向を確認し、Ｐ２〜Ｐ３の距離（基準領域Ａの長手方向の距離）が規定値２７５ｍｍ以下であるか否かを判定してる。つまり、Ｐ２〜Ｐ３の距離が規定値２７５ｍｍ以下であれば、画像欠けは無しと判断され、第１調整処理（画像欠け無しの場合）が実行される（ステップＳ３）。この第１調整処理については、後述する。
【００７８】
一方、ステップＳ２において、Ｐ２〜Ｐ３の距離が規定値２７５ｍｍよりも大きいと判定されれば、原稿がＡ４横／Ａ３サイズであるので、エッジ判定を行う（ステップＳ４）。ここでは、条件（１）：Ｐ１〜Ｐ２の距離（第１距離：Ｒ側黒帯の幅）あるいはＰ３〜Ｐ４の距離（第２距離：Ｆ側黒帯の幅）の何れかが１０ｍｍ以上、もしくは、条件（２）：Ｐ１〜Ｐ２の距離とＰ３〜Ｐ４の距離との和が１５ｍｍ以下であるか否かを判定する。条件（１）の場合、黒帯の幅が１０ｍｍ以上の側で領域Ｂが実際のシートに食い込んでいる可能性が判断でき、条件（２）の場合、何れかの黒帯側の領域Ｂが実際にシートに食い込んでいると判断できる。
【００７９】
なお、本実施例では印刷装置の画像形成可能なシートサイズのうち、画像欠けが発生する可能性の高いケースとして主走査方向に最長なサイズであるシートサイズに対してエッジ判定を適用するよう構成していることから、Ａ４横／Ａ３サイズでの場合にエッジ判定を行うよう記載しているが、特にこのサイズに限定する必要は無い。
【００８０】
ステップＳ４において、エッジ判定を行った結果、条件（１）（２）の両方を満たしていなければ、領域Ｂの黒帯がシートエッジに食い込んでいないと判定し、ステップＳ３の第１調整処理が実行される。ここでは、領域Ｂが図７（ａ）に示す状態になっている場合を示す。
【００８１】
一方、ステップＳ４において、エッジ判定を行った結果、条件（１）（２）の何れか一方を満たしていれば、領域Ｂの黒帯がシートエッジに食い込んでいると判定し、ステップＳ５に移行して原稿の配置方向を判定する。ここでは、領域Ｂが図７（ｂ）に示す状態（画像欠け部分が有る）になっている場合を示す。
【００８２】
ステップＳ５では、方向マーカＭにより原稿の向きを判定する。この方向マーカＭによって、原稿がＡ４横を示していることが判定できれば、原稿の配置方向はそのままで、ステップＳ６に移行して第２調整処理を行う。この第２調整処理の詳細については後述する。
【００８３】
一方、ステップＳ５において、方向マーカＭによって、原稿がＡ４縦を示していることが判定できれば、ステップＳ７に移行して、ユーザに原稿の向きを変更させるための報知を行う。具体的には、図３に示す報知部５０４によって、「原稿を９０°回転させて下さい」という表示を行って、ユーザに報知する。この報知は、表示であってもよいし、音声であってもよい。その後、ステップＳ１に移行し、配置方向を変更した原稿を読み取る。
【００８４】
ここで、図６に示すステップＳ３における第１調整処理の流れについて、図８に示すフローチャートを参照しながら以下に説明する。
【００８５】
まず、原稿載置方向修正を行う（ステップＳ１１）。ここでは、図６に示すステップＳ１において画像取込時に取り込んだ方向マーカＭの位置を検出し、該方向マーカＭの位置に応じて調整用原稿の各ポイントＰ１〜Ｐ４の位置を決定することで、原稿載置方向修正を行う。この処理は、画像欠け判定部５００ａにおいて実行される。この処理で得られた情報は、後段のスキャナ調整部５００ｂおよびプリンタ調整部５００ｃに送られる。
【００８６】
次に、スキャナ調整を行う（ステップＳ１２）。ここでは、ステップＳ１１で決定したポイントＰ１とＰ４の位置の中心位置を原稿の読取中心位置とするための処理を行う。この処理は、スキャナ調整部５００ｂにおいて実行される。この処理で得られた情報は、スキャナ調整用の値（調整値）として、後段のスキャナコントロール部５０２に送られる。
【００８７】
続いて、プリンタ調整を行う（ステップＳ１３）。ここでは、ステップＳ１１で決定したポイントＰ１〜Ｐ２の距離と、ポイントＰ３〜Ｐ４の距離とが等しくなるように、印刷位置を主走査方向にずらすための処理を行う。この処理は、プリンタ調整部５００ｃにおいて実行される。この処理で得られた情報は、プリンタ調整用の値（調整値）として、後段のプリンタコントロール部５０３に送られる。
【００８８】
以上のように、第１調整処理では、調整用原稿を読み取って得られる画像に画像欠けが無い場合のスキャナ２００、プリンタ１００に各調整値を送り、複合機１における印刷位置調整が行われる。
【００８９】
ここで、図６に示すステップＳ６における第２調整処理の流れについて、図９に示すフローチャートを参照しながら以下に説明する。
【００９０】
まず、基準設定を行う（ステップＳ２１）。ここでは、図５に示す調整用原稿に対応したシート上の画像のＦ／Ｒのうち１０ｍｍ以下（エッジがシートに食い込んでいないほう）の帯幅のほうを調整基準とする処理を行う。図５では、Ｐ３〜Ｐ４が調整基準となる。この処理は、画像欠け判定部５００ａにおいて実行される。この処理で得られた調整基準は、後段のスキャナ調整部５００ｂおよびプリンタ調整部５００ｃに送られる。
【００９１】
次に、スキャナ調整を行う（ステップＳ２２）。ここでは、主走査方向のオフセンター調整を行う。具体的には、基準エッジ（ステップＳ２１において採用されたＰ３〜Ｐ４の黒帯の外枠位置）から紙サイズの半分の距離を原稿センター位置とする処理を行う。この処理は、スキャナ調整部５００ｂにおいて実行される。この処理で得られた情報は、スキャナ調整用の値（調整値）として、後段のスキャナコントロール部５０２に送られる。
【００９２】
続いて、プリンタ調整を行う（ステップＳ２３）。ここでは、主走査方向のオフセンター調整を行う。具体的には、ステップＳ２１で採用したＰ３〜Ｐ４の黒帯幅と、基準枠（基準領域Ａ）幅８ｍｍとの差を印刷オフセンター補正値とする処理を行う。例えば、黒帯幅の実測値が５ｍｍであれば、８ｍｍとの差３ｍｍ分、主走査方向に印刷位置をずらす処理を行う。この処理は、プリンタ調整部５００ｃにおいて実行される。この処理で得られた情報は、プリンタ調整用の値（調整値）として、後段のプリンタコントロール部５０３に送られる。
【００９３】
以上のように、第２調整処理では、調整用原稿を読み取って得られる画像に画像欠けが有る場合のスキャナ２００、プリンタ１００に各調整値を送り、複合機１における印刷位置調整が行われる。
【００９４】
上記構成の複合機１を用いれば、調整用画像に画像欠けが発生した場合であっても、調整用画像に基づいて適切に印刷装置（プリンタ１００）におけるシートに対する印刷位置の調整を行うことができる。
【００９５】
なお、上述の第１調整処理、第２調整処理の結果得られた調整値に基づいて行う、プリンタ１００、スキャナ２００の調整は、本願発明者等が既に出願している特開２００５−１０７３３（特願２００３−４０３５０３）に記載された方法で行われるので、ここでは説明を省略する。
【００９６】
また、本実施の形態では、Ａ４横／Ａ３サイズのシートにおける画像欠けがある場合についての処理の流れについて説明したが、これら以外のサイズであっても本発明は適用可能である。
【００９７】
以上のように、本発明は、テスト印字（基準データに基づく自己印字）を原稿読み取り部を用いて読み取りを行い、印字部の印字位置調整を行う調整方法についての発明である。
【００９８】
従来、感光体に静電潜像を書き込む画像書込み装置の書込み幅が感光体幅に対して短い場合、テスト印字に画像欠けが発生し、印字部の印字位置調整ができないという問題があったがあったが、本発明では、テスト印字に画像欠けが発生している側を判定し、画像欠けが発生していない方のテスト印字パターンを基に印字位置調整を行うことができる。
【００９９】
具体的な手段としては以下のような方法が考えられる。
【０１００】
原稿読み取り部と印字部を有する画像形成装置におけるテスト印字を原稿読み取り部を用いて読み取りを行い、読み取りデータを基に印字部の印字位置調整を行う調整方法において、感光体に静電潜像を書き込む画像書込み手段の書込み端部を示す画像と、書込み端部から所定の距離を示す画像を感光体に書き込む書込みステップと、画像を現像し用紙に転写する像形成ステップと、像形成されたテスト印字を原稿読み取り部で読み取り画像から画像の端部と端部から所定の距離を示す画像を読み取る読み取りステップと、端部位置と端部から所定の距離を示す画像の位置から画像欠けの発生していない側の画像を判定する判定ステップと、画像欠けの発生していない画像から印字位置を調整する調整ステップとを有することを特徴とする印字部の調整方法。
【０１０１】
このとき、以下のような効果を奏する。
【０１０２】
テスト印字に画像欠けが発生している側を判定し、画像欠けが発生していない方のテスト印字パターンを基に印字位置調整を行うことができる。
【０１０３】
また、上記の判定ステップにおいて、一方の画像端部と端部から所定距離の画像の位置との距離である第1距離と、他方の画像端部と端部から所定距離の画像の位置との距離である第２距離との合計が所定値（１５ｍｍ）以下である場合、画像欠けが発生していると判定するようにしてもよい。
【０１０４】
また、上記の判定ステップにおいて、一方の画像端部と端部から所定距離の画像の位置との距離である第１距離と、他方の画像端部と端部から所定距離の画像の位置との距離である第２距離の、いずれかが所定値（１０ｍｍ）以上である場合、所定値以上の画像の側を画像欠けが発生している側であると判定してもよい。
【０１０５】
さらに、テスト印字の読み取りにより原稿読み取り部の読み取り先端位置先端を調整しており、テスト印字の載置方向を、マーカ画像を基に検出して、テスト印字が原稿台に横置きされているときにテスト印字に画像欠けが生じていることを判定した時に、原稿を原稿台に縦置きにするように警告を発するようにしてもよい。
【０１０６】
このとき、以下のような効果を奏する。
【０１０７】
テスト印字により原稿読み取り部の読み取り先端も同時に調整しており、またマーカ画像を印字することで、原稿の載置向きが判定することができる。ここで、原稿横置き状態で、画像欠けが発生していた場合には原稿読み取り部の読み取り先端の判定は不可能なので、その場合は警告を発して原稿を縦置きに置きなおすよう促す。このことにより、作業を誤ることを防ぐ。
【０１０８】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１０９】
最後に、印刷位置調整装置の各ブロック、特に画像欠け判定部５００ａ、スキャナ調整部５００ｂ、プリンタ調整部５００ｃは、ハードウェアロジックによって構成してもよいし、次のようにＣＰＵを用いてソフトウェアによって実現してもよい。
【０１１０】
すなわち、印刷位置調整装置は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである印刷装置調整装置の制御プログラムのプログラムコード（実行形式プログラム、中間コードプログラム、ソースプログラム）をコンピュータで読み取り可能に記録した記録媒体を、上記印刷位置調整装置に供給し、そのコンピュータ（またはＣＰＵやＭＰＵ）が記録媒体に記録されているプログラムコードを読み出し実行することによっても、達成可能である。
【０１１１】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１１２】
また、印刷位置調整装置を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１１３】
本発明の印刷位置調整装置は、印刷装置を備えた装置、例えば、プリンタ、複写機、スキャナとプリンタを複合した複合機、ファクシミリ装置に好適に使用できる。
【図面の簡単な説明】
【０１１４】
【図１】本発明の実施形態を示すものであり、印刷位置調整装置の要部構成を示すブロック図である。
【図２】上記印刷位置調整装置を備えた複合機の要部構成を示す概略構成図である。
【図３】上記複合機に備えられた中央演算部を含む制御手段の概略ブロック図である。
【図４】画像欠けを説明するための図である。
【図５】印刷位置調整処理の前段階において調整用原稿を読み取った後の調整用画像を示す図である。
【図６】印刷位置調整処理の流れを示すフローチャートである。
【図７】（ａ）は画像欠けの無い調整用画像を示す図、（ｂ）は画像欠けが有る調整用画像を示す図である。
【図８】図６に示す印刷位置調整処理の第１調整処理の流れを示すサブルーチンである。
【図９】図６に示す印刷位置調整処理の第２調整処理の流れを示すサブルーチンである。
【符号の説明】
【０１１５】
１  複合機（画像形成装置）
１００  プリンタ（印刷装置）
２００  スキャナ（原稿読取部）
２０４  ＣＣＤラインセンサ（読取手段）
２０９  原稿台
２１０  自動原稿搬送装置
２１１  原稿セットトレイ
５００  中央演算部（印刷位置調整装置）
５００ａ  画像欠け判定部（画像欠け判定手段）
５００ｂ  スキャナ調整部（調整値算出手段）
５００ｃ  プリンタ調整部（調整値算出手段）
５０１  画像処理部
５０２  スキャナコントロール部
５０３  プリンタコントロール部
５０４  報知部
Ａ  基準領域
Ｂ  領域
Ｃ  調整用画像
Ｍ  方向マーカ
Ｐ１〜Ｐ４  ポイント
【図１】
2006333411.tif 000003
【図２】
2006333411.tif 000004
【図３】
2006333411.tif 000005
【図４】
2006333411.tif 000006
【図８】
2006333411.tif 000007
【図９】
2006333411.tif 000008
【図５】
2006333411.tif 000009
【図６】
2006333411.tif 000010
【図７】
2006333411.tif 000011